(57)【要約】【課題】外周壁の所望の位置にエアコンの室内機を設置することができる建物を提供する。【解決手段】外周壁２における上部室内側に設けられた室内機取り付け部４を有し、室内機取り付け部４は、外周壁２における開口部２３の上端部２３ａから上側に形成された開口部上壁部２５と、開口部上壁部２５の下端部から開口部２３の上端部２３ａよりも下側となる位置まで延びる垂れ壁部４２と、を有し、開口部上壁部２５の内部には、エアコン３の排水管（排水管）を挿通可能な空洞部４３が形成され、開口部上壁部２５の室内側の面２５ａと、垂れ壁部４２の室内側の面４２ａとは、面一に形成され、開口部上壁部２５の室内側の面２５ａおよび垂れ壁部４２の室内側の面４２ａは、室内機３１を取り付け可能に構成されている。【選択図】図４
2019178528.tif 000002
【特許請求の範囲】
【請求項１】
開口部が形成された外周壁の室内側にエアコンの室内機が設けられ、前記外周壁の室外側に前記エアコンの室外機が設けられる建物において、
前記外周壁における上部室内側に設けられた室内機取り付け部を有し、
前記室内機取り付け部は、前記外周壁における前記開口部の上端部から上側に形成された開口部上壁部と、
前記開口部上壁部の下端部から前記開口部の上端部よりも下側となる位置まで延びる垂れ壁部と、を有し、
前記開口部上壁部の内部には、前記エアコンの配管を挿通可能な空洞部が形成され、
前記開口部上壁部の室内側の面と、前記垂れ壁部の室内側の面とは、面一に形成され、
前記開口部上壁部の室内側の面および前記垂れ壁部の室内側の面は、前記室内機を取り付け可能に構成されていることを特徴とする建物。
【請求項２】
前記外周壁は、前記開口部および前記開口部上壁部に隣接し、前記開口部および前記開口部上壁部と同一鉛直面上に設けられる開口部隣接壁部を有し、
前記室内機取り付け部は、前記開口部上壁部および前記開口部隣接壁部それぞれの室内側に跨って設けられ、前記空洞部が、前記開口部隣接壁部の内部の空洞部と連通していることを特徴とする請求項１に記載の建物。
【請求項３】
前記垂れ壁部の室外側の面は、前記開口部に設けられた窓枠よりも室内側に位置し、
前記開口部上壁部における前記垂れ壁部が接続された部分よりも室外側の部分には、下側に露出する下側露出面が形成されていることを特徴とする請求項１または２に記載の建物。
【請求項４】
前記室内機取り付け部は、室内側の面を室内側にふかしたふかし壁部とされていることを特徴とする請求項１乃至３のいずれか一項に記載の建物。
【請求項５】
前記ふかし壁部は、前記外周壁に直交する室内の壁まで達していることを特徴とする請求項４に記載の建物。
【発明の詳細な説明】
【技術分野】
【０００１】
本発明は、建物に関する。
【背景技術】
【０００２】
従来、住宅などの建物に壁掛け式のエアコンを設置する場合、建物の外周に設けられる外周壁の室内側の面にエアコンの室内機を取り付け、室内機が取り付けられた外周壁の室外側の面に沿ってエアコンの室外機を設置することが一般的である（例えば、特許文献１参照）。また、空調効率を向上させるために、エアコンの室内機は、設置される部屋の形状に合わせて最適な位置および向きに設置することが好ましい。例えば、平面形状が長方形となる部屋の場合、長手方向に送風するように室内機を設置することが好ましい。
【先行技術文献】
【特許文献】
【０００３】
【特許文献１】特開２０１６−５０４１４号公報
【発明の概要】
【発明が解決しようとする課題】
【０００４】
しかしながら、外周壁に窓などの開口部が設けられていると、エアコンの室内機を所望の位置に設置できないことがある。このような場合、エアコンの室内機をずらしたり向きを変えたりして設置するため、送風方向が最適な方向と異なってしまったり、室外機と接続される冷媒管が長くなったりしてしまい、エアコンの空調効率に影響が出る虞がある。
また、集合住宅などでは、エアコンの室内機を外周壁に取り付けられないと、隣接する住戸との防火区画となる界壁に設置せざるを得ない場合もある。このような場合は、冷媒管やドレン管などの配管スペースを界壁の内部に設けることが困難であり、施工性が悪いという問題もある。
【０００５】
そこで、本発明は、外周壁の所望の位置にエアコンの室内機を設置することができる建物を提供することを目的とする。
【課題を解決するための手段】
【０００６】
上記目的を達成するため、本発明に係る建物は、開口部が形成された外周壁の室内側にエアコンの室内機が設けられ、前記外周壁の室外側に前記エアコンの室外機が設けられる建物において、前記外周壁における上部室内側に設けられた室内機取り付け部を有し、前記室内機取り付け部は、前記外周壁における前記開口部の上端部から上側に形成された開口部上壁部と、前記開口部上壁部の下端部から前記開口部の上端部よりも下側となる位置まで延びる垂れ壁部と、を有し、前記開口部上壁部の内部には、前記エアコンの配管を挿通可能な空洞部が形成され、前記開口部上壁部の室内側の面と、前記垂れ壁部の室内側の面とは、面一に形成され、前記開口部上壁部の室内側の面および前記垂れ壁部の室内側の面は、前記室内機を取り付け可能に構成されていることを特徴とする。
【０００７】
本発明では、垂れ壁部が開口部の上端部より下側に延びているため、外周壁における開口部の上側の高さが室外機を取り付け可能な高さに足りない場合でも、開口部上壁部の室内側の面および垂れ壁部の室内側の面の両方を利用することにより、開口部の上側に室内機を取り付けることができる。
また、開口部上壁部の内部にはエアコンの配管を挿通可能な空洞部が形成されていることにより、エアコンの配管が室内に露出することを抑えることができる。
【０００８】
また、本発明に係る建物では、前記外周壁は、前記開口部および前記開口部上壁部に隣接し、前記開口部および前記開口部上壁部と同一鉛直面上に設けられる開口部隣接壁部を有し、前記室内機取り付け部は、前記開口部上壁部および前記開口部隣接壁部それぞれの室内側に跨って設けられ、前記空洞部が、前記開口部隣接壁部の内部の空洞部と連通していてもよい。
このような構成とすることにより、エアコンの配管を空洞部から開口部隣接壁部の内部に通すことができるため、エアコンの配管の露出を抑えることができる。また、開口部隣接壁部の室外側に室外機を設置することで、エアコンの配管を短くすることができるとともに、容易に施工することができる。
【０００９】
また、本発明に係る建物では、前記垂れ壁部の室外側の面は、前記開口部に設けられた窓枠よりも室内側に位置し、前記開口部上壁部における前記垂れ壁部が接続された部分よりも室外側の部分には、下側に露出する下側露出面が形成されていてもよい。
開口部上壁部における垂れ壁部が接続された部分よりも室外側の部分には、下側に露出する下側露出面が形成されていることにより、この下側露出面に、開口部の室内側に設けるカーテンのカーテンレールやロールスクリーンの巻取り部、ブラインドのヘッドボックスなどを取り付けることができる。また、下側露出面の室内側に位置する垂れ壁部は、下側露出面よりも下側に延びていることにより、下側露出面にカーテンレールなどを取り付けた場合でもカーテンレールなどが室内側に露出することを防止できて、開口部まわりの美観を向上させることができる。
【００１０】
また、本発明に係る建物では、前記室内機取り付け部は、室内側の面を室内側にふかしたふかし壁部とされていてもよい。
このような構成とすることにより、空洞部を所望の大きさに確保することができる。
【００１１】
また、本発明に係る建物では、前記ふかし壁部は、前記外周壁に直交する室内の壁まで達していてもよい。
このような構成とすることにより、室内機の設置可能な面を大きく確保することができる。また、ふかし壁部の内部の空洞部も広く確保することができ、駆動部における配管を行いやすい。例えば、空洞部において配管を屈曲させる場合に、大きな曲率で配管を屈曲させることができ、施工性を向上させることができる。
また、ふかし壁部が外周壁に直交する室内の壁まで達していない場合と比べて、凹凸が少なくなるため、美観や清掃性を向上させることができる。
【発明の効果】
【００１２】
本発明によれば、外周壁の所望の位置にエアコンの室内機を設置することができる。
【図面の簡単な説明】
【００１３】
【図１】本発明の実施形態による建物の一例の一部分を示す平面図である。
【図２】図１を室内側から見た立面図で下部側および東側を省略した図である。
【図３】図１のＡ−Ａ線断面図である。
【図４】図１のＢ−Ｂ線断面図である。
【図５】図１のＣ方向斜視図である。
【発明を実施するための形態】
【００１４】
以下、本発明の実施形態による建物について、図１乃至図５に基づいて説明する。
図１に示す本実施形態による建物１は、集合住宅などで、南東の角部に南北方向に長い居室１１を有している。この居室１１は、ＬＤＫ（リビング・ダイニング・キッチン）で、南側および東側に建物１の外周に設けられる外周壁２が設けられている。居室１１の南側に配置され東西方向に延びる外周壁２を第１外周壁２１とし、居室１１の東側に配置され南北方向に延びる外周壁２を第２外周壁２２とする。居室１１の南側には、第１外周壁２１を介してベランダ１２が設けられている。
居室１１の北側および西側には、建物１の内部に設けられる界壁１３を介して他の住戸の居室が設けられている。
建物１には、居室１１の空調設備となるエアコン３が設けられている。エアコン３の室内機３１は、第１外周壁２１の室内側に設置され、エアコン３の室外機３２は、第１外周壁２１の室外側のベランダ１２に設置されている。
【００１５】
図１および図２に示すように、第１外周壁２１には、東西方向の中間部に開口部２３が形成されている。開口部２３には、引き違いの掃き出し窓２４が設けられている。開口部２３は、居室１１の天井１１ａまで達しておらず、開口部２３の上部には壁部が設けられている。第１外周壁２１の室外側には、開口部２３を開閉するシャッター２８（図１参照）が設けられている。
第１外周壁２１のうちの開口部２３の上側の部分を開口部上壁部２５とし、開口部２３および開口部上壁部２５の西側の部分を第１開口部隣接壁部２６とし、開口部２３および開口部上壁部２５の東側の部分を第２開口部隣接壁部２７（図１参照）とする。第１開口部隣接壁部２６は、第２開口部隣接壁部２７よりも東西方向に長く形成されている。
開口部上壁部２５の室外側には、シャッターボックス２８１（図１参照）が取り付けられている。
【００１６】
本実施形態では、第１開口部隣接壁部２６および第２開口部隣接壁部２７それぞれの室内側における東西方向の寸法ｌ１，ｌ２（図１参照）は、エアコン３の室内機３１を取り付けるために必要な幅寸法よりも小さい寸法となっている。
また、開口部上壁部２５の室内側における高さ寸法ｈ１（開口部２３の上端部２３ａから居室１１の天井１１ａまでの高さ寸法、図２参照）は、エアコン３の室内機３１を取り付けるための必要寸法よりも小さい寸法となっている。本実施形態では、開口部上壁部２５の室内側における高さ寸法ｈ１は、例えば約３１０ｍｍで、エアコン３の室内機３１を取り付けるために必要な高さ寸法は、保守のための天井面との隔離寸法も含め、例えば約３４０ｍｍとなっている。エアコン３の室内機３１は、居室１１の天井１１ａ（図２参照）と所定の寸法をあけて設置されるように規定されている。
図１に示すように、エアコン３の室外機３２は、第１開口部隣接壁部２６の室外側の面に沿ってベランダ１２の床部に設置されている。
【００１７】
図１および図２に示すように、第１外周壁２１の室内側における上部側には、エアコン３の室内機３１を取り付け可能な室内機取り付け部４が設けられている。
図１−図５に示すように、室内機取り付け部４は、開口部上壁部２５、第１開口部隣接壁部２６および第２開口部隣接壁部２７に跨るように設けられている。
室内機取り付け部４は、開口部上壁部２５と、開口部上壁部２５から下側に延びる垂れ壁部４２と、第１開口部隣接壁部２６における上側の部分で開口部上壁部２５および垂れ壁部４２の側方となる部分（以下、第１開口部隣接壁上側部分４２１とする）と、第２開口部隣接壁部２７における上側の部分で開口部上壁部２５および垂れ壁部４２の側方となる部分（以下、第２開口部隣接壁上側部分４２２とする）と、で構成されている。
ここで、第１外周壁２１における室内機取り付け部４が設けられている領域よりも下の領域を第１外周壁２１の一般部２１１とする。
室内機取り付け部４は、その室内側の面４ａを、第１外周壁２１の一般部２１１の室内側の面２１１ａよりも室内側にふかすことにより形成したふかし壁部４１とされている。
ふかし壁部４１は、居室１１の天井１１ａまで達し、第１外周壁２１の東西方向の全体にわたって形成されている。
【００１８】
ふかし壁部４１は、室内側の面４１ａが北側を向く鉛直面となり、第１外周壁２１の一般部２１１の室内側の面２１１ａよりも室内側（北側）に突出している。
ふかし壁部４１の内部には、エアコン３のドレン管や冷媒管などを配管可能な空洞部４３が形成されている。空洞部４３は、第１開口部隣接壁部２６の内部の空洞部と連通するように設けられている。第１開口部隣接壁部２６の内部の空洞部は、エアコン３のドレン管からの結露水を室外に排出する為の排水管３３および冷媒管（不図示）を上下方向に挿通可能に構成されている。
本実施形態では、ふかし壁部４１の空洞部４３および第１開口部隣接壁部２６の内部の空洞部にわたって排水管３３が設けられている。図３に示すように、排水管３３は、その一端がふかし壁部４１の室内側の面４１ａの近傍に位置し、空洞部４３ではまたはわずかな勾配を保って室外方向に延び、ふかし壁部４１と第１開口部隣接壁部２６との境界部で屈曲し、第１開口部隣接壁部２６の内部の空洞部で上下方向に延びている。排水管３３の他端（下端）は、第１開口部隣接壁部２６の下端近傍で室外（ベランダ１２）側に持ち出されており、エアコン３の運転時に発生する結露水はベランダ１２の床に排出される。
エアコン３のドレン管は、その先端が排水管３３の鉛直部分に達するように排水管３３の内部に挿入される。このようにすることにより、排水管３３がふかし壁部４１の室内側の面４１ａの近傍に達しているため、ドレン管の排水管３３への挿入作業が行いやすい。
【００１９】
垂れ壁部４２は、室内側の面４２ａが北側を向く鉛直面となり、ふかし壁部４１の室内側の面４１ａの下側に面一となるように設けられている。垂れ壁部４２の下端部４２ｂは、開口部２３の上端部２３ａよりも下側に配置されている。本実施形態では、垂れ壁部４２の下端部４２ｂは、開口部２３の上端部２３ａよりも例えば約４０ｍｍ下側に配置されている。
これにより、本実施形態では垂れ壁部４２の下端部４２ｂから居室１１の天井１１ａまでの高さ寸法が約３５０ｍｍとなり、室内機取り付け部４の高さ寸法が約３５０ｍｍとなる。これにより、室内機取り付け部４の室内側の面４ａ（ふかし壁部４１の室内側の面４１ａおよび垂れ壁部４２の室内側の面４２ａ）は、室内機３１の取り付けおよび保守が可能な高さ寸法となっている。
室内機取り付け部４の室内側の面４ａには、室内機３１を取り付け可能な構造で、例えば、室内機３１を取り付けるための部材（据付板）が固定可能な下地材が設けられている。室内機取り付け部４には、空洞部４３に設置された排水管３３に居室１１からドレン管や冷媒管を挿入可能とする孔部４５（図３参照）が形成されている。
冷媒管は、エアコン３の室内機３１側の管と、ふかし壁部４１の内部の空洞部４３および第１開口部隣接壁部２６の内部の空洞部を経由して室内機３１の背面にあたる位置に予め取り出された室外機３２側の管とが、室内機３１の設置の際に、室内機３１の背面で接続される（不図示）。
【００２０】
ふかし壁部４１のうちの、第１開口部隣接壁上側部分４２１および第２開口部隣接壁上側部分４２２の下端部の高さは、垂れ壁部４２の下端部の高さと一致している。
図４に示すように、垂れ壁部４２の室外側の面４２ｃは、開口部２３に設けられた掃き出し窓２４の窓枠２３１よりも室内側に位置し、更には、第１外周壁２１の一般部２１１の室内側の面２１１ａよりも室内側に位置している。垂れ壁部４２の室外側では、ふかし壁部４１のうちの開口部上壁部２５の下端面４１１が露出している。このふかし壁部４１における下側に露出している下端面４１１を下側露出面４１１とする。
【００２１】
下側露出面４１１は、カーテンレールや、ロールスクリーンの巻取り部、ブラインドのヘッドボックスなどの窓掛け取り付け面として利用される。図４では、下側露出面４１１にカーテンレール４１２が取り付けられている。
【００２２】
本実施形態では、下側露出面４１１の東西方向の両側に連続し窓掛け取り付け面として機能する下向き面４１３，４１３、および垂れ壁部４２の東西方向に連続する垂下部４２３，４２３が、ふかし壁部４１の第１開口部隣接壁上側部分４２１および第２開口部隣接壁上側部分４２２にかかる領域に設けられている。これにより、窓掛け取り付け面の東西方向の寸法は、開口部２３の東西方向の寸法（幅寸法）よりも長くなるため、下側露出面４１１およびその両側の下向き面４１３，４１３には、開口部２３の東西方向の寸法よりも長いカーテンレールや、ロールスクリーンの巻取り部、ブラインドのヘッドボックスなどを取り付けることができる。
開口部２３の室内側にカーテンを設ける場合では、カーテンレールを開口部２３の東西方向の寸法よりも両側に長くすることができることにより、カーテンを開けた際にカーテンが集まるカーテン溜まりを開口部２３と重ならない位置に設けることができる。
【００２３】
本実施形態では、エアコン３の室内機３１は、室内機取り付け部４に対して西寄り（界壁１３に近接する側）に取り付けられている。室内機３１は、東西方向の寸法（幅寸法）が第１開口部隣接壁部２６の東西方向の寸法よりも大きいため、第１開口部隣接壁部２６および開口部上壁部２５にわたって配置されている。また、室内機３１は、居室１１の天井１１ａと規定された所定の寸法をあけ、室内機取り付け部４のふかし壁部４１および垂れ壁部４２にわたって取り付けられている。
【００２４】
次に、上述した本発明の実施形態による建物１の作用・効果について図面を用いて説明する。
上述した本発明の実施形態による建物１では、垂れ壁部４２が開口部２３の上端部２３ａより下側に延びているため、外周壁２における開口部２３の上側の高さが室外機３２を取り付け可能な高さに足りない場合でも、ふかし壁部４１の室内側の面４１ａおよび垂れ壁部４２の室内側の面４２ａの両方を利用することにより、開口部２３の上側に室内機３１を取り付けることができる。
また、ふかし壁部４１の内部には排水管３３や冷媒管を挿通可能な空洞部４３が形成されていることにより、排水管３３や冷媒管の隠ぺい配管工事を容易に行うことができる。
【００２５】
また、第１外周壁２１は、開口部２３の直上に位置する開口部上壁部２５と、開口部２３および開口部上壁部２５に隣接し、開口部２３および開口部上壁部２５と同一鉛直面上に設けられる第１開口部隣接壁部２６と、を有し、室内機取り付け部４は、開口部上壁部２５および第１開口部隣接壁部２６それぞれの室内側に跨って設けられ、空洞部４３が、第１開口部隣接壁部２６の内部の空洞部と連通している。
これにより、排水管３３を空洞部４３から第１開口部隣接壁部２６の内部の空洞部に通すことができるため、排水管３３や冷媒管の隠ぺい配管工事を容易に行うことができる。また、第１開口部隣接壁部２６の室外側に室外機３２を設置することで、エアコン３の冷媒管を短くすることができるとともに、容易に施工することができる。
【００２６】
また、垂れ壁部４２の室内側の面４２ａは、開口部２３に設けられた掃き出し窓２４の窓枠２３１よりも室内側に位置し、開口部上壁部２５における垂れ壁部４２が接続された部分よりも室外側の部分には、下側に露出する下側露出面４１１が形成されている。
これにより、下側露出面４１１に、開口部２３の室内側に設けるカーテンのカーテンレールやロールスクリーンの巻取り部、ブラインドのヘッドボックスなどを取り付けることができる。また、下側露出面４１１の室内側に位置する垂れ壁部４２は、下側露出面４１１よりも下側に延びていることにより、下側露出面４１１にカーテンレールなどを取り付けた場合でもカーテンレールなどが室内側に露出することを防止できて、開口部２３まわりの美観を向上させることができる。
【００２７】
また、ふかし壁部４１は、第１外周壁２１に直交する界壁１３および第２外周壁２２まで達している。
これにより、室内機３１の設置可能な面を大きく確保することができる。また、ふかし壁部４１の内部の空洞部４３も広く確保することができ、空洞部４３における排水管３３の配管を行いやすい。例えば、空洞部４３において排水管３３を屈曲させる場合に、大きな曲率で排水管３３を屈曲させることができ、施工性を向上させることができる。
また、ふかし壁部４１が界壁１３および第２外周壁２２まで達していない場合と比べて、凹凸が少なくなるため、美観や清掃性を向上させることができる。
【００２８】
以上、本発明による建物１の実施形態について説明したが、本発明は上記の実施形態に限定されるものではなく、その趣旨を逸脱しない範囲で適宜変更可能である。
例えば、上記の実施形態では、エアコンが取り付けられる居室１１が東南の角部に設けられ、南北に長い形状に形成されているが、居室の向きや形状は敵機設定されてよい。
また、上記の実施形態では、第１外周壁２１の開口部２３には、引き違いの掃き出し窓２４が設けられているが、開口部２３の形状や開口部２３に設けられる建具の形態は適宜設定されてよい。
【００２９】
また、上記の実施形態では、ベランダ１２に室外機３２が設置されているが、室外の地面、土間や、室外において外周壁に取り付けられた架台に設置されていてもよい。
また、上記の実施形態では、ふかし壁部４１の空洞部４３が、第１開口部隣接壁部２６の内部の空洞部と連通し、エアコン３の排水管３３がふかし壁部４１の空洞部４３および第１開口部隣接壁部２６の内部の空洞部にわたって設置されている。これに対し、エアコン３の排水管３３は、ふかし壁部４１の空洞部４３から外周壁２の室外側に取り出すように設置されていてもよい。
【００３０】
また、上記の実施形態では、垂れ壁部４２と開口部２３に設けられた掃き出し窓２４の窓枠２３１との間に下側露出面４１１が形成されているが、垂れ壁部４２の室外側の面４２ｃが窓枠２３１に接し、下側露出面４１１が形成されていない形態であってもよい。
また、垂れ壁部４２全体がふかし壁部４１よりも壁厚が小さく形成され、ふかし壁部４１における垂れ壁部４２が接続された部分よりも室外側の部分に下側に露出する下側露出面４１１が形成されていてもよい。
【００３１】
また、ふかし壁部４１は、居室１１の天井１１ａまで達しているが居室１１の天井１１ａまで達していなくてもよい。
また、室内機３１は、室内機取り付け部４に対して西側寄り（界壁１３に近接する側）に取り付けられているが、室内機取り付け部４の東西方向の中間部で、開口部２３の上部や、東側寄り（第２外周壁２２に近接する側）に取り付けられていてもよい。
また、居室１１の天井１１ａの下に、換気扇のダクトなどが挿通されるための、第２外周壁２２や界壁１３に沿って南北方向に延びるダクトスペースが設けられている場合は、室内機取り付け部４をダクトスペースに隣接して設け、ふかし壁部４１の空洞部４３とダクトスペースとを連通させ、ダクトスペースの空隙部分も利用して排水管３３を通すようにしてもよい。
また、上記の実施形態では、室内機取り付け部４は、第１外周壁２１をふかして形成したふかし壁部４１としているが、室内機取り付け部４は、壁をふかすことなく内部の空洞部に配管が可能であれば、ふかし壁部としなくてもよい。また、室内機取り付け部４をふかし壁部４１とする際のふかし寸法は、エアコン３や排水管３３等の位置に応じ適宜増減されればよい。
また、上記の実施形態では、室内機取り付け部４は、開口部上壁部２５、第１開口部隣接壁部２６および第２開口部隣接壁部２７に跨って設けられているが、開口部上壁部２５の直上のみに設けられていてもよい。このような場合、ふかし壁部の空洞部を利用して、排水管３３を室内機の斜め後方に延びるように設置することでドレン管からの結露水の排水が可能となる。
また、室内機取り付け部４は、開口部上壁部２５と、第１開口部隣接壁部２６および第２開口部隣接壁部２７のいずれか一方のみと、に跨って設けられていてもよい。
【符号の説明】
【００３２】
１  建物
２  外周壁
３  エアコン
４  室内機取り付け部
４ａ  室内側の面
１１  居室
１１ａ  天井
１２  ベランダ
１３  界壁
２１  第１外周壁
２２  第２外周壁
２３  開口部
２３ａ  上端部
２４  掃き出し窓
２５  開口部上壁部
２６  第１開口部隣接壁部
２７  第２開口部隣接壁部
２８  シャッター
２８１  シャッターボックス
３１  室内機
３２  室外機
３３  排水管
４１  ふかし壁部
４１ａ  室内側の面
４２  垂れ壁部
４２ａ  室内側の面
４２ｂ  下端部
４２ｃ  室外側の面
４３  空洞部
２１１  一般部
２１１ａ  室内側の面
２３１  窓枠
４１１  下側露出面
４１２  カーテンレール
４１３  下向き面
４２１  第１開口部隣接壁上側部分
４２２  第２開口部隣接壁上側部分
４２３  垂下部
【図１】
2019178528.tif 000003
【図２】
2019178528.tif 000004
【図３】
2019178528.tif 000005
【図４】
2019178528.tif 000006
【図５】
2019178528.tif 000007